【事件の表示】
　特願２００６−　３２５２１「ＶＡ型液晶表示装置及びそのピクセル回路」拒絶査定不服審判事件〔平成１９年　６月２１日出願公開、特開２００７−１５６３７９〕について、次のとおり審決する。
【結　論】
　本件審判の請求は、成り立たない。
【理　由】
１　手続きの経緯
　平成１８年　２月　９日　特許出願（優先権主張　平成１７年１２月２日　台湾）
　平成２１年　３月　３日　拒絶理由通知（同年３月１０日発送）
　平成２１年　７月１０日　意見書
　平成２１年　８月　７日　拒絶査定（同年８月１１日送達）
　平成２１年１２月　３日　本件審判請求・補正書
　平成２２年　９月　７日　審尋（同年９月１４日発送）
　平成２２年１２月　７日　回答書
　平成２３年　５月１１日　拒絶理由通知（同年５月１７日発送。以下「当審拒絶理由通知」という。）
　平成２３年　８月１０日　意見書・補正書
　
２　本願発明
　本願の特許請求の範囲の請求項１−１４に係る発明は、特許請求の範囲の請求項１−１４に記載された事項により特定されるとおりのものであるところ、特許請求の範囲の請求項１には、以下のとおり記載されている。
「　ＶＡ型液晶表示装置のピクセル回路であり、第一サブピクセル及び第二サブピクセルを包含し、
　第一サブピクセルは、第一薄膜トランジスタ、第一液晶コンデンサ、及び第一補助コンデンサを含み、第一薄膜トランジスタのソース電極はデータ線と電気結合し、第一薄膜トランジスタのゲート電極は制御線と電気結合し、第一薄膜トランジスタのドレイン電極は第一液晶コンデンサの一方端及び第一補助コンデンサの一方端と電気結合し、
　第二サブピクセルは、第二薄膜トランジスタ、第二液晶コンデンサ、及び第二補助コンデンサを含み、第二薄膜トランジスタのソース電極はデータ線と電気結合し、第二薄膜トランジスタのゲート電極は制御線と電気結合し、第二薄膜トランジスタのドレイン電極は第二液晶コンデンサの一方端及び第二補助コンデンサの一方端と電気結合し、
　その内、第一補助コンデンサのもう一方端は結合電極電圧を提供する結合信号線と電気結合し、第二補助コンデンサのもう一方端は共同電圧の共同電圧線に電気結合する故、第一サブピクセルの画素電圧と第二サブピクセルの画素電圧は異なるものとなり、且つ該結合電極電圧は交流電圧とされ、該共同電圧は直流電圧とされ、且つ該結合信号線と該共同電圧線は相互に垂直に配置されたことを特徴とする、ＶＡ型液晶表示装置のピクセル回路。」（以下「本願発明」という。）
　
３　引用発明
３−１　引用する刊行物とその記載事項
　当審拒絶理由通知で引用され、本願の優先日前の平成１６年３月１１日に日本国内で頒布された特開２００４−７８１５７号公報（以下「刊行物」という。）には、図面とともに以下の事項が記載されている。
　
ア　「【請求項１】　
　それぞれが液晶層と前記液晶層に電圧を印加する複数の電極とを有し、複数の行および複数の列を有するマトリクス状に配列された複数の画素を備え、　
前記複数の画素のそれぞれは、それぞれの前記液晶層に互いに異なる電圧を印加することができる第１副画素および前記第２副画素を有し、　
前記第１副画素および前記第２副画素のそれぞれは、　
対向電極と、前記液晶層を介して前記対向電極に対向する副画素電極とによって形成された液晶容量と、　
前記副画素電極に電気的に接続された補助容量電極と、絶縁層と、前記絶縁層を介して前記補助容量電極と対向する補助容量対向電極とによって形成された補助容量とを有し、　
前記対向電極は、前記第１副画素および前記第２副画素に対して共通の単一の電極であり、前記補助容量対向電極は、前記第１副画素および前記第２副画素毎に対して電気的に独立である、液晶表示装置。」　
　
イ　「【０００９】　
　ノーマリブラックモードの液晶表示装置には、ＴＮモードの液晶表示装置における視野角特性を改善した液晶表示装置として、近年開発された、…、マルチドメイン・バーティカル・アラインド・モード（ＭＶＡモード：特開平１１−２４２２２５号公報）、…の液晶表示装置等がある。…」　
　
ウ　「【００３０】　
　本発明は液晶表示装置の表示品位を向上できるので、副画素ごとにスイッチング素子を有するアクティブマトリクス型液晶表示装置に好適に適用される。その中でも特に、負の誘電異方性を有するネマチック液晶材料を用いた垂直配向型液晶層を有し、ノーマリブラックモードで表示を行う広視野角型の液晶表示装置に適用することが好ましい。本発明によると、ＭＶＡモードやＡＳＭモードの液晶表示装置のγ特性の視角依存性を補償するように、副画素に電圧を印加することができる。さらに、本発明による液晶表示装置は、ライン反転駆動や、ドット反転駆動などの、高品位の表示を実現できる駆動方法に対応することが可能である。」　
　
エ　「【００３１】　
　以下、図面を参照しながら、本発明による液晶表示装置の実施形態を説明する。
【００３２】　
　図１は、本実施形態の液晶表示装置の液晶パネルの等価回路を模式的に示す図である。
【００３３】　
　この液晶パネルは、行および列を有するマトリクス状に配列された画素（ドットと呼ぶことがある。）を有するアクティブマトリクス型の液晶パネルである。図１は、ｎ行ｍ列の画素に注目している。
【００３４】　
　それぞれの画素は、第１副画素と第２副画素を有する。図１では、第１副画素に対応する液晶容量をＣｌｃＯと表記し、第２副画素に対応する液晶容量をＣｌｃＥと表記している。第１副画素の液晶容量ＣｌｃＯは、第１副画素電極１８ａと対向電極１７と、これらの間の液晶層によって構成されている。第２副画素の液晶容量ＣｌｃＥは、第２副画素電極１８ｂと対向電極１７と、これらの間の液晶層によって構成されている。第１副画素電極１８ａはＴＦＴ１６ａを介して信号線１４に接続されており、第２副画素電極１８ｂはＴＦＴ１６ｂを介して、同じ信号線１４に接続されている。ＴＦＴ１６ａおよびＴＦＴ１６ｂのゲート電極は、共通の走査線１２に接続されている。　
【００３５】　
　それぞれの第１副画および第２副画素に対応して設けられている第１補助容量および第２補助容量は、図１中では、それぞれＣｌｃＯおよびＣｌｃＥと表記している。第１補助容量ＣｃｓＯの補助容量電極は、ドレイン電極の延長部１６Ｏを介してＴＦＴ１６ａのドレインに接続されており、第２補助容量ＣｃｓＥの補助容量電極は、ドレイン電極の延長部１６Ｅを介してＴＦＴ１６ｂのドレインに接続されている。なお、補助容量電極の接続形態は図示した例に限られず、それぞれ対応する副画素電極と同じ電圧が印加されるように電気的に接続されいればよい。即ち、副画素電極とそれぞれ対応する補助容量電極とが直接または間接に電気的に接続されていればよく、例えば、それぞれの副画素電極と対応する補助容量電極とを接続してもよい。（当審注：「第１補助容量および第２補助容量は、図１中では、それぞれＣｌｃＯおよびＣｌｃＥと表記している」とあるのは、「第１補助容量および第２補助容量は、図１中では、それぞれＣｃｓＯおよびＣｃｓＥと表記している」の誤記である。）　
【００３６】　
　第１補助容量ＣｃｓＯの補助容量対向電極は、補助容量配線２４Ｏ（または２４Ｅ）に接続されており、第２補助容量ＣｃｓＥの補助容量対向電極は、補助容量配線２４Ｅ（または２４Ｏ）に接続されている。この構成によって、第１および第２補助容量のそれぞれの補助容量対向電極に異なる補助容量対向電圧を供給することが可能になっている。補助容量対向電極と補助容量配線の接続関係は、後に説明するように、駆動方法（ドット反転駆動など）に応じて、適宜選択される。」　
　
オ　「【００３７】　
　次に、図２を参照しながら、上記構成によって、第１副画素（ＣｌｃＯ）および第２副画素（ＣｌｃＥ）に異なる電圧を印加できる原理を説明する。
【００３８】　
　図２は、図１の画素（ｎ、ｍ）に入力される各種信号の電圧波形とタイミングを示している。（ａ）は２つのフレームに亘る水平走査期間（Ｈ）を示し、（ｂ）はｍ±１本目の信号線１４に供給される表示信号電圧Ｖｓ（ｍ±１）の波形（破線）を示し、（ｃ）はｍ本目の信号線１４に供給される表示信号電圧（階調信号電圧）Ｖｓ（ｍ）の波形（実線）を示している。（ｄ）はｎ本目の走査線１２に供給される走査信号電圧（Ｖｇ（ｎ））の波形を示しており、（ｅ）および（ｆ）はそれぞれ補助容量配線２４Ｏおよび２４Ｅに供給される補助容量対向電圧（ＶｃｓＯ、ＶｃｓＥ）の波形を示している。（ｇ）および（ｆ）は、それぞれ第１副画素の液晶容量ＣｌｃＯおよび第２副画素の液晶容量ＣｌｃＥに印加される電圧（ＶｌｃＯ、ＶｌｃＥ）の波形を示している。　
【００３９】
　図２に示した駆動方式は、２Ｈドット反転＋フレーム反転方式の液晶表示装置に本発明を適用した実施形態を示したものである。　
【００４０】
　信号線１４に印加される表示信号電圧Ｖｓは、２本の走査線が選択されるたび（２Ｈごと）に極性が反転し、且つ、隣接する信号線（例えばＶｍとＶ（ｍ±１）に印加される表示信号電圧の極性は逆になっている（２Ｈドット反転）。また、全ての信号線１４に表示信号電圧Ｖｓはフレーム毎に極性が反転する（フレーム反転）。　
【００４１】　
　ここで、補助容量対向電圧ＶｃｓＯおよびＶｃｓＥの極性が反転する周期は、表示信号電圧の極性が反転する周期（２Ｈ）と同じであり、且つ、位相が１／２周期（１Ｈ）ずれている。補助容量対向電圧ＶｃｓＯおよびＶｃｓＥは、振幅が同じで、位相が１８０°異なる波形を有している。　
【００４２】
　図２を参照しながら、液晶容量ＣｌｃＯおよび液晶容量ＣｌｃＥに印加される電圧（ＶｌｃＯ、ＶｌｃＥ）が図２のようになる理由を説明する。
【００４３】
　走査信号電圧Ｖｇがハイレベル（ＶｇＨ）のときにＴＦＴ１６ａおよび１６ｂｎが導通状態となり、信号線１４の表示信号電圧Ｖｓが副画素電極１８ａおよび１８ｂに印加される。液晶容量ＣｌｃＯおよびＣｌｃＥのそれぞれの両端に印加される電圧は、それぞれ、副画素電極１８ａおよび１８ｂの電圧と、対向電極１７の電圧（Ｖｃｏｍ）との差である。即ち、ＶｌｃＯ＝Ｖｓ−Ｖｃｏｍ（ＶｌｃＥ＝Ｖｓ−Ｖｃｏｍ）である。　
【００４４】　
　（ｎ×ｈ−Δｔ）秒後に、走査線信号電圧ＶｇがＯＮ状態である高電圧ＶｇＨからＯＦＦ状態の低電圧ＶｇＬ（＜Ｖｓ）に切り替わると、いわゆる引込み現象の影響で、副画素電極１８ａおよび１８ｂの電圧がＶｄだけ下がる。このＶｄ低下分だけ対向電極１７の電圧Ｖｃｏｍは表示信号電圧Ｖｓのセンター電位より低い電圧に調整される。この低下分がΔＶである。　
【００４５】　
　（ｎ×ｈ）秒後、液晶容量ＣｌｃＯの電圧ＶｌｃＯは、液晶容量ＣｌｃＯを構成する副画素電極１８ａと電気的に接続された、補助容量ＣｃｓＯの補助容量対向電極の電圧ＶｃｓＯの影響を受けて変化する。また、液晶容量ＣｌｃＥの電圧ＶｌｃＥは、液晶容量ＣｌｃＥを構成する副画素電極１８ｂと電気的に接続された、補助容量ＣｃｓＥの補助容量対向電極の電圧ＶｃｓＥの影響を受けて変化する。ここで、（ｎ×ｈ）秒において、補助容量対向電圧ＶｃｓＯがＶｃｓＯｐ＞０だけ増加し、補助容量対向電圧ＶｃｓＥがＶｃｓＥｐ＞０だけ低下したとする。即ち、補助容量対向電圧ＶｃｓＯの全振幅（Ｖｐ−ｐ）をＶｃｓＯｐとし、補助容量対向電圧ＶｃｓＥの全振幅をＶｃｓＥｐとする。
【００４６】
　ＴＦＴ１６ａのドレインに接続された液晶容量ＣｌｃＯと補助容量ＣｃｓＯとの合計の容量をＣｐｉｘＯとすると、
ＶｌｃＯ＝Ｖｓ−ΔＶ＋ＶｃｓＯｐ（ＣｃｓＯ／ＣｐｉｘＯ）−Ｖｃｏｍ
となり、
ＴＦＴ１６ｂのドレインに接続された液晶容量ＣｌｃＥと補助容量ＣｃｓＥとの合計の容量をＣｐｉｘＥとすると、
ＶｌｃＥ＝Ｖｓ−ΔＶ−ＶｃｓＥｐ（ＣｃｓＥ／ＣｐｉｘＥ）−Ｖｃｏｍ
となる。
【００４７】
　次に、（ｎ＋２）×ｈ秒後（（ｎ＋３）Ｈ時）には、同様に補助容量対向電極の電圧ＶｃｓＯ（またはＶｃｓＥ）の影響を受けて、ＶｌｃＯおよびＶｌｃＥは、それぞれ、ｎＨ時の電圧値に戻る。
【００４８】
　ＶｌｃＯ＝Ｖｓ−ΔＶ−Ｖｃｏｍ
ＶｌｃＥ＝Ｖｓ−ΔＶ−Ｖｃｏｍ
この電圧の変化は、次のフレームにおいてＶｇ（ｎ）がＶｇＨとなるまで繰り返される。その結果、ＶｌｃＯおよびＶｌｃＥのそれぞれの実効値が異なる値となる。　
【００４９】
　すなわち、ＶｌｃＯの実効値をＶｌｃＯｒｍｓとし、ＶｌｃＥの実効値ＶｌｃＥｒｍｓとすると、
ＶｌｃＯｒｍｓ＝Ｖｓ−ΔＶ＋（１／２）ＶｃｓＯｐ（ＣｃｓＯ／ＣｐｉｘＯ）−Ｖｃｏｍ
ＶｌｃＥｒｍｓ＝Ｖｓ−ΔＶ−（１／２）ＶｃｓＥｐ（ＣｃｓＥ／ＣｐｉｘＥ）−Ｖｃｏｍ
（ただし、（Ｖｓ−ΔＶ−Ｖｃｏｍ）＞＞ＶｃｓＯｐ（ＣｃｓＯ／ＣｐｉｘＯ）
（Ｖｓ−ΔＶ−Ｖｃｏｍ）＞＞ＶｃｓＥｐ（ＣｃｓＥ／ＣｐｉｘＥ）時。）
となる。従って、これら実効値の差をΔＶｌｃ＝ＶｌｃＯｒｍｓ−ＶｌｃＥｒｍｓとすると、
ΔＶｌｃ＝（１／２）｛ＶｃｓＯｐ（ＣｃｓＯ／ＣｐｉｘＯ）＋ＶｃｓＥｐ（ＣｃｓＥ／ＣｐｉｘＥ）｝
となる。　
【００５０】
　２つの副画素が有する液晶容量および補助容量の大きさが等しい（ＣｌｃＯ＝ＣｌｃＥ＝Ｃｌｃ、ＣｃｓＯ＝ＣｃｓＥ＝Ｃｃｓ、ＣｐｉｘＯ＝ＣｐｉｘＥ＝Ｃｐｉｘ）とすると、
ΔＶｌｃ＝（１／２）（ＶｃｓＯｐ＋ＶｃｓＥｐ）（Ｃｃｓ／Ｃｐｉｘ）
となる。図２に示したように、ＶｃｓＯｐ＝ＶｃｓＥｐで位相が１８０°異なっている場合には、ＶｃｓＯｐ＝ＶｃｓＥｐ＝Ｖｃｓｐとすると、
ΔＶｌｃ＝Ｖｃｓｐ（Ｃｃｓ／Ｃｐｉｘ）
となり、ＶｌｃＯの実効値は大きく、ＶｌｃＥの実効値は小さくなる。　
【００５１】
　なお、ＶｃｓＯとＶｃｓＥの電圧を入れ替えれば、逆にＶｌｃＯの実効値を小さく、ＶｌｃＥの実効値を大きくなるように設定できる。あるいは、補助容量ＣｃｓＯおよびＣｃｓＥの補助容量対向電極に接続する補助容量配線２４Ｏおよび２４Ｅの組合せを逆にしても、ＶｌｃＯの実効値を小さく、ＶｌｃＥの実効値を大きくなるように設定できる。」　
　
カ　図１より、第１副画素の液晶容量ＣｌｃＯの第１副画素電極１８ａと第１補助容量ＣｃｓＯの補助容量電極が接続されていることが看取できる　
　
３−２　記載事項の検討　
（１）　刊行物における「【０００９】　ノーマリブラックモードの液晶表示装置には、…、マルチドメイン・バーティカル・アラインド・モード（ＭＶＡモード：特開平１１−２４２２２５号公報）、…の液晶表示装置等がある。…」との記載、「【００３０】…。本発明によると、ＭＶＡモードやＡＳＭモードの液晶表示装置のγ特性の視角依存性を補償するように、副画素に電圧を印加することができる。」との記載から、刊行物には、「ＭＶＡモードの液晶表示装置」が開示されている。
（２）　刊行物における「【００３２】図１は、本実施形態の液晶表示装置の液晶パネルの等価回路を模式的に示す図である。」との記載から、液晶表示装置は液晶パネルを有することが読み取れる。また、「【００３３】この液晶パネルは、行および列を有するマトリクス状に配列された画素（…）を有する」との記載から、液晶パネルは画素を有することが読み取れる。さらに、「【００３４】それぞれの画素は、第１副画素と第２副画素を有する。」との記載から、それぞれの画素は第１副画素と第２副画素を有することが読み取れる。してみると、刊行物には、液晶表示装置のそれぞれの画素は、第１副画素と第２副画素を有することが開示されている。
（３）　刊行物における「【００３４】…第１副画素に対応する液晶容量をＣｌｃＯと表記し、…。第１副画素の液晶容量ＣｌｃＯは、第１副画素電極１８ａと…によって構成されている。…。第１副画素電極１８ａはＴＦＴ１６ａを介して信号線１４に接続されており、第２副画素電極１８ｂはＴＦＴ１６ｂを介して、同じ信号線１４に接続されている。…。【００３５】　それぞれの第１副画および第２副画素に対応して設けられている第１補助容量および第２補助容量は、図１中では、それぞれＣｌｃＯおよびＣｌｃＥと表記している。」（当審注：「第１補助容量および第２補助容量は、図１中では、それぞれＣｌｃＯおよびＣｌｃＥと表記している」とあるのは、「第１補助容量および第２補助容量は、図１中では、それぞれＣｃｓＯおよびＣｃｓＥと表記している」の誤記である。）との記載から、刊行物には、第１副画素は、ＴＦＴ１６ａ、液晶容量ＣｌｃＯ、第１補助容量ＣｃｓＯを含むことが開示されている。
　また、「【００３４】…。第１副画素電極１８ａはＴＦＴ１６ａを介して信号線１４に接続されており、…。ＴＦＴ１６ａ…のゲート電極は、共通の走査線１２に接続されている。」との記載、「【００３５】…。第１補助容量ＣｃｓＯの補助容量電極は、ドレイン電極の延長部１６Ｏを介してＴＦＴ１６ａのドレインに接続されており」との記載、図１より第１副画素の液晶容量ＣｌｃＯの第１副画素電極１８ａと第１補助容量ＣｃｓＯの補助容量電極が接続されていることが看取できること、ＴＦＴがゲート電極、ソース電極、ドレイン電極を有する素子であることは技術常識であることを総合すると、刊行物には、ＴＦＴ１６ａのソース電極は信号線１４に接続し、前記ＴＦＴ１６ａのゲート電極は走査線１２に接続し、前記ＴＦＴ１６ａのドレイン電極は前記第１補助容量ＣｃｓＯの補助容量電極と前記第１副画素の液晶容量ＣｌｃＯの第１副画素電極１８ａに接続することが開示されている。
　してみると、刊行物には、第１副画素は、ＴＦＴ１６ａ、液晶容量ＣｌｃＯ、第１補助容量ＣｃｓＯを含み、前記ＴＦＴ１６ａのソース電極は信号線１４に接続し、前記ＴＦＴ１６ａのゲート電極は走査線１２に接続し、前記ＴＦＴ１６ａのドレイン電極は前記第１補助容量ＣｃｓＯの補助容量電極と前記液晶容量ＣｌｃＯの第１副画素電極１８ａに接続することが開示されている。
（４）　刊行物における「【００３４】…、第２副画素に対応する液晶容量をＣｌｃＥと表記している。…。第２副画素の液晶容量ＣｌｃＥは、第２副画素電極１８ｂと…によって構成されている。…、第２副画素電極１８ｂはＴＦＴ１６ｂを介して、同じ信号線１４に接続されている。…ＴＦＴ１６ｂのゲート電極は、共通の走査線１２に接続されている。【００３５】　それぞれの第１副画および第２副画素に対応して設けられている第１補助容量および第２補助容量は、図１中では、それぞれＣｌｃＯおよびＣｌｃＥと表記している。」（当審注：上記（３）に記載したとおり、「ＣｌｃＯおよびＣｌｃＥ」は、「ＣｃｓＯおよびＣｃｓＥ」の誤記である。）との記載から、刊行物には、第２副画素は、ＴＦＴ１６ｂ、液晶容量ＣｌｃＥ、第２補助容量ＣｃｓＥを含むことが開示されている。
　また、「【００３４】…、第２副画素電極１８ｂはＴＦＴ１６ｂを介して、同じ信号線１４に接続されている。…ＴＦＴ１６ｂのゲート電極は、共通の走査線１２に接続されている。」との記載、「【００３５】…、第２補助容量ＣｃｓＥの補助容量電極は、ドレイン電極の延長部１６Ｅを介してＴＦＴ１６ｂのドレインに接続されている。」との記載、図１より、第２副画素の液晶容量ＣｌｃＥの第２副画素電極１８ｂと第２補助容量ＣｃｓＥの補助容量電極が接続されていることが看取できること、ＴＦＴがゲート電極、ソース電極、ドレイン電極を有する素子であることは技術常識であることを総合すると、刊行物には、前記ＴＦＴ１６ｂのソース電極は信号線１４に接続し、前記ＴＦＴ１６ｂのゲート電極は走査線１２に接続し、前記ＴＦＴ１６ｂのドレイン電極は前記第２補助容量ＣｃｓＥの補助容量電極と前記第２副画素の液晶容量ＣｌｃＥの第２副画素電極１８ｂに接続することが開示されている。
　してみると刊行物には、第２副画素は、ＴＦＴ１６ｂ、液晶容量ＣｌｃＥ、第２補助容量ＣｃｓＥを含み、前記ＴＦＴ１６ｂのソース電極は信号線１４に接続し、前記ＴＦＴ１６ｂのゲート電極は走査線１２に接続し、前記ＴＦＴ１６ｂのドレイン電極は前記第２補助容量ＣｃｓＥの補助容量電極と前記液晶容量ＣｌｃＥの第２副画素電極１８ｂに接続することが開示されている。
（５）　図１より、液晶容量ＣｌｃＯの対向電極１７と、液晶容量ＣｌｃＥの対向電極１７が共通に接続されていることが看取できる。また、刊行物の「【００４３】…対向電極１７の電圧（Ｖｃｏｍ）…」との記載を併せると、刊行物には、液晶容量ＣｌｃＯの対向電極１７と、液晶容量ＣｌｃＥの対向電極１７を共通に接続して電位（Ｖｃｏｍ）を供給することが開示されている。
（６）　刊行物における「【００３６】第１補助容量ＣｃｓＯの補助容量対向電極は、補助容量配線２４Ｏ（または２４Ｅ）に接続されており、第２補助容量ＣｃｓＥの補助容量対向電極は、補助容量配線２４Ｅ（または２４Ｏ）に接続されている。」との記載から、刊行物には、第１補助容量ＣｃｓＯの補助容量対向電極は、補助容量配線２４Ｏに接続され、第２補助容量ＣｃｓＥの補助容量対向電極は、補助容量配線２４Ｅに接続されることが開示されている。
（７）　刊行物における「【００３６】第１補助容量ＣｃｓＯの補助容量対向電極は、補助容量配線２４Ｏ（または２４Ｅ）に接続されており、第２補助容量ＣｃｓＥの補助容量対向電極は、補助容量配線２４Ｅ（または２４Ｏ）に接続されている。この構成によって、第１および第２補助容量のそれぞれの補助容量対向電極に異なる補助容量対向電圧を供給することが可能になっている。」との記載がある。「第１および第２補助容量のそれぞれの補助容量対向電極に異なる補助容量対向電圧を供給することが可能になっている」ことから、第１補助容量ＣｃｓＯの補助容量対向電極と前記第２補助容量ＣｃｓＥの補助容量対向電極は電気的に独立であることが読み取れる。
（８）　刊行物における「【００４１】…補助容量対向電圧ＶｃｓＯおよびＶｃｓＥは、振幅が同じで、位相が１８０°異なる波形を有している。」との記載、「【００４２】図２を参照しながら、液晶容量ＣｌｃＯおよび液晶容量ＣｌｃＥに印加される電圧（ＶｌｃＯ、ＶｌｃＥ）が図２のようになる理由を説明する。」との記載、「【００４８】…その結果、ＶｌｃＯおよびＶｌｃＥのそれぞれの実効値が異なる値となる。」との記載がある。ここで、補助容量対向電圧ＶｃｓＯは、第１補助容量ＣｃｓＯの補助容量対向電極に供給する補助容量対向電圧ＶｃｓＯであり、補助容量対向電圧ＶｃｓＥは、第２補助容量ＣｃｓＥの補助容量対向電極に供給する補助容量対向電圧ＶｃｓＥであることを考慮すると、刊行物には、第１補助容量ＣｃｓＯの補助容量対向電極に供給する補助容量対向電圧ＶｃｓＯおよび第２補助容量ＣｃｓＥの補助容量対向電極に供給する補助容量対向電圧ＶｃｓＥは、振幅が同じで、位相が１８０°異なる波形を有し、前記第１副画素の液晶容量ＣｌｃＯに印加される電圧ＶｌｃＯおよび前記第２副画素の液晶容量ＣｌｃＥに印加される電圧ＶｌｃＥのそれぞれの実効値が異なる値となることが開示されている。
（９）　上記（３）、（４）で検討したとおり、第１副画素は、ＴＦＴ１６ａ、液晶容量ＣｌｃＯ、第１補助容量ＣｃｓＯを含み、第２副画素は、ＴＦＴ１６ｂ、液晶容量ＣｌｃＥ、第２補助容量ＣｃｓＥを含むところ、ＴＦＴ１６ａ、液晶容量ＣｌｃＯ、第１補助容量ＣｃｓＯ、ＴＦＴ１６ｂ、液晶容量ＣｌｃＥ、第２補助容量ＣｃｓＥは、画素の回路を構成している。
　
３−３　引用発明
　以上のことから、刊行物には以下の発明が開示されている。　
「ＭＶＡモードの液晶表示装置の画素の回路であり、それぞれの画素は、第１副画素と第２副画素を有し、
　前記第１副画素は、ＴＦＴ１６ａ、液晶容量ＣｌｃＯ、第１補助容量ＣｃｓＯを含み、前記ＴＦＴ１６ａのソース電極は信号線１４に接続し、前記ＴＦＴ１６ａのゲート電極は走査線１２に接続し、前記ＴＦＴ１６ａのドレイン電極は前記第１補助容量ＣｃｓＯの補助容量電極と前記液晶容量ＣｌｃＯの第１副画素電極１８ａに接続し、
　前記第２副画素は、ＴＦＴ１６ｂ、液晶容量ＣｌｃＥ、第２補助容量ＣｃｓＥを含み、前記ＴＦＴ１６ｂのソース電極は前記信号線１４に接続し、前記ＴＦＴ１６ｂのゲート電極は前記走査線１２に接続し、前記ＴＦＴ１６ｂのドレイン電極は前記第２補助容量ＣｃｓＥの補助容量電極と前記液晶容量ＣｌｃＥの第２副画素電極１８ｂに接続し、
　前記液晶容量ＣｌｃＯの対向電極１７と、前記液晶容量ＣｌｃＥの対向電極１７は共通に接続して電位（Ｖｃｏｍ）を供給し、
　前記第１補助容量ＣｃｓＯの補助容量対向電極は、補助容量配線２４Ｏに接続され、前記第２補助容量ＣｃｓＥの補助容量対向電極は、補助容量配線２４Ｅに接続され、
　前記第１補助容量ＣｃｓＯの補助容量対向電極と前記第２補助容量ＣｃｓＥの補助容量対向電極は電気的に独立であり、前記第１補助容量ＣｃｓＯの補助容量対向電極に供給する補助容量対向電圧ＶｃｓＯおよび前記第２補助容量ＣｃｓＥの補助容量対向電極に供給する補助容量対向電圧ＶｃｓＥは、振幅が同じで、位相が１８０°異なる波形を有し、前記第１副画素の液晶容量ＣｌｃＯに印加される電圧ＶｌｃＯおよび前記第２副画素の液晶容量ＣｌｃＥに印加される電圧ＶｌｃＥのそれぞれの実効値が異なる値となる、ＭＶＡモードの液晶表示装置の画素の回路。」（以下「引用発明」という。）　
　
４　対比
　本願発明と引用発明とを対比する。
（１）　引用発明の「ＭＶＡモードの液晶表示装置」は、本願発明の「ＶＡ型液晶表示装置」に相当し、以下同様に、
「画素の回路」が「ピクセル回路」に、
「第１副画素」が「第一サブピクセル」に、
「第２副画素」が「第二サブピクセル」に、
「ＴＦＴ１６ａ」が「第一薄膜トランジスタ」に、
「ＴＦＴ１６ｂ」が「第二薄膜トランジスタ」に、
「液晶容量ＣｌｃＯ」が「第一液晶コンデンサ」に、
「液晶容量ＣｌｃＥ」が「第二液晶コンデンサ」に、
「第１補助容量ＣｃｓＯ」が「第一補助コンデンサ」に、
「第２補助容量ＣｃｓＥ」が「第二補助コンデンサ」に、
「ソース電極」が「ソース電極」に、
「ゲート電極」が「ゲート電極」に、
「ドレイン電極」が「ドレイン電極」に、
「信号線１４」が「データ線」に、
「走査線１２」が「制御線」に、
「液晶容量ＣｌｃＯの第１副画素電極１８ａ」が「第一液晶コンデンサの一方端」に、
「液晶容量ＣｌｃＥの第２副画素電極１８ｂ」が「第二液晶コンデンサの一方端」に、
「第１補助容量ＣｃｓＯの補助容量電極」が「第一補助コンデンサの一方端」に、
「第２補助容量ＣｃｓＥの補助容量電極」が「第二補助コンデンサの一方端」に、
「第１補助容量ＣｃｓＯの補助容量対向電極」が「第一補助コンデンサのもう一方端」に、
「第２補助容量ＣｃｓＥの補助容量対向電極」が「第二補助コンデンサのもう一方端」に、
「補助容量配線２４Ｏ」が「結合信号線」に、
「第１補助容量対向電極に供給する補助容量対向電圧ＶｃｓＯ」が「結合電極電圧」に、
「第１副画素の液晶容量ＣｌｃＯに印加される電圧ＶｌｃＯおよび第２副画素の液晶容量ＣｌｃＥに印加される電圧ＶｌｃＥのそれぞれの実効値が異なる値となる」ことが「第一サブピクセルの画素電圧と第二サブピクセルの画素電圧は異なるものとな」ることに、
それぞれ、相当する。
（２）　本願発明が、「ＶＡ型液晶表示装置のピクセル回路であり、第一サブピクセル及び第二サブピクセルを包含」することと、引用発明が「ＭＶＡモードの液晶表示装置の画素の回路であり、それぞれの画素は、第１副画素と第２副画素を有」することを比較する。
　上記（１）の相当関係を踏まえると、引用発明が「ＭＶＡモードの液晶表示装置の画素の回路であり、それぞれの画素は、第１副画素と第２副画素を有」することは、本願発明が、「ＶＡ型液晶表示装置のピクセル回路であり、第一サブピクセル及び第二サブピクセルを包含」することに相当する。
（３）　本願発明の「第一サブピクセルは、第一薄膜トランジスタ、第一液晶コンデンサ、及び第一補助コンデンサを含み、第一薄膜トランジスタのソース電極はデータ線と電気結合し、第一薄膜トランジスタのゲート電極は制御線と電気結合し、第一薄膜トランジスタのドレイン電極は第一液晶コンデンサの一方端及び第一補助コンデンサの一方端と電気結合」することと、引用発明の「前記第１副画素は、ＴＦＴ１６ａ、液晶容量ＣｌｃＯ、第１補助容量ＣｃｓＯを含み、前記ＴＦＴ１６ａのソース電極は信号線１４に接続し、前記ＴＦＴ１６ａのゲート電極は走査線１２に接続し、前記ＴＦＴ１６ａのドレイン電極は前記第１補助容量ＣｃｓＯの補助容量電極と前記液晶容量ＣｌｃＯの第１副画素電極１８ａに接続」することを比較する。
　上記（１）の相当関係を踏まえると、引用発明の「前記第１副画素は、ＴＦＴ１６ａ、液晶容量ＣｌｃＯ、第１補助容量ＣｃｓＯを含み、前記ＴＦＴ１６ａのソース電極は信号線１４に接続し、前記ＴＦＴ１６ａのゲート電極は走査線１２に接続し、前記ＴＦＴ１６ａのドレイン電極は前記第１補助容量ＣｃｓＯの補助容量電極と前記液晶容量ＣｌｃＯの第１副画素電極１８ａに接続」することは、本願発明の「第一サブピクセルは、第一薄膜トランジスタ、第一液晶コンデンサ、及び第一補助コンデンサを含み、第一薄膜トランジスタのソース電極はデータ線と電気結合し、第一薄膜トランジスタのゲート電極は制御線と電気結合し、第一薄膜トランジスタのドレイン電極は第一液晶コンデンサの一方端及び第一補助コンデンサの一方端と電気結合」することに相当する。
（４）　本願発明の「第二サブピクセルは、第二薄膜トランジスタ、第二液晶コンデンサ、及び第二補助コンデンサを含み、第二薄膜トランジスタのソース電極はデータ線と電気結合し、第二薄膜トランジスタのゲート電極は制御線と電気結合し、第二薄膜トランジスタのドレイン電極は第二液晶コンデンサの一方端及び第二補助コンデンサの一方端と電気結合」することと、引用発明の「前記第２副画素は、ＴＦＴ１６ｂ、液晶容量ＣｌｃＥ、第２補助容量ＣｃｓＥを含み、前記ＴＦＴ１６ｂのソース電極は前記信号線１４に接続し、前記ＴＦＴ１６ｂのゲート電極は前記走査線１２に接続し、前記ＴＦＴ１６ｂのドレイン電極は前記第２補助容量ＣｃｓＥの補助容量電極と前記液晶容量ＣｌｃＥの第２副画素電極１８ｂに接続」することを比較する。
　上記（１）の相当関係を踏まえると、引用発明の「前記第２副画素は、ＴＦＴ１６ｂ、液晶容量ＣｌｃＥ、第２補助容量ＣｃｓＥを含み、前記ＴＦＴ１６ｂのソース電極は前記信号線１４に接続し、前記ＴＦＴ１６ｂのゲート電極は前記走査線１２に接続し、前記ＴＦＴ１６ｂのドレイン電極は前記第２補助容量ＣｃｓＥの補助容量電極と前記液晶容量ＣｌｃＥの第２副画素電極１８ｂに接続」することは、本願発明の「第二サブピクセルは、第二薄膜トランジスタ、第二液晶コンデンサ、及び第二補助コンデンサを含み、第二薄膜トランジスタのソース電極はデータ線と電気結合し、第二薄膜トランジスタのゲート電極は制御線と電気結合し、第二薄膜トランジスタのドレイン電極は第二液晶コンデンサの一方端及び第二補助コンデンサの一方端と電気結合」することに相当する。
（５）　本願発明の「その内、第一補助コンデンサのもう一方端は結合電極電圧を提供する結合信号線と電気結合し、第二補助コンデンサのもう一方端は共同電圧の共同電圧線に電気結合する故、第一サブピクセルの画素電圧と第二サブピクセルの画素電圧は異なるものとなり、且つ該結合電極電圧は交流電圧とされ、該共同電圧は直流電圧とされ」ることと、引用発明の「前記液晶容量ＣｌｃＯの対向電極１７と、前記液晶容量ＣｌｃＥの対向電極１７は共通に接続して電位（Ｖｃｏｍ）を供給し、前記第１補助容量ＣｃｓＯの補助容量対向電極は、補助容量配線２４Ｏに接続され、前記第２補助容量ＣｃｓＥの補助容量対向電極は、補助容量配線２４Ｅに接続され、前記第１補助容量ＣｃｓＯの補助容量対向電極と前記第２補助容量ＣｃｓＥの補助容量対向電極は電気的に独立であり、前記第１補助容量ＣｃｓＯの補助容量対向電極に供給する補助容量対向電圧ＶｃｓＯおよび前記第２補助容量ＣｃｓＥの補助容量対向電極に供給する補助容量対向電圧ＶｃｓＥは、振幅が同じで、位相が１８０°異なる波形を有し、前記第１副画素の液晶容量ＣｌｃＯに印加される電圧ＶｌｃＯおよび前記第２副画素の液晶容量ＣｌｃＥに印加される電圧ＶｌｃＥのそれぞれの実効値が異なる値となる」ことを比較する。
　本願発明の「共同電圧線」と引用発明の「補助容量配線２４Ｅ」は「配線」である点で共通し、本願発明の「共同電圧」と引用発明の「第２補助容量対向電極に供給する補助容量対向電圧ＶｃｓＥ」は「所定電圧」である点で共通する。また、引用発明において、「第１補助容量対向電極に供給する補助容量対向電圧ＶｃｓＯおよび第２補助容量対向電極に供給する補助容量対向電圧ＶｃｓＥは、振幅が同じで、位相が１８０°異なる波形を有」することは、「第１補助容量対向電極に供給する補助容量対向電圧ＶｃｓＯおよび第２補助容量対向電極に供給する補助容量対向電圧ＶｃｓＥ」がそれぞれ交流電圧であることを意味している。さらに、上記（１）の相当関係を踏まえると、本願発明の「その内、第一補助コンデンサのもう一方端は結合電極電圧を提供する結合信号線と電気結合し、第二補助コンデンサのもう一方端は共同電圧の共同電圧線に電気結合する故、第一サブピクセルの画素電圧と第二サブピクセルの画素電圧は異なるものとなり、且つ該結合電極電圧は交流電圧とされ、該共同電圧は直流電圧とされ」ることと、引用発明の「前記液晶容量ＣｌｃＯの対向電極１７と、前記液晶容量ＣｌｃＥの対向電極１７は共通に接続して電位（Ｖｃｏｍ）を供給し、前記第１補助容量ＣｃｓＯの補助容量対向電極は、補助容量配線２４Ｏに接続され、前記第２補助容量ＣｃｓＥの補助容量対向電極は、補助容量配線２４Ｅに接続され、前記第１補助容量ＣｃｓＯの補助容量対向電極と前記第２補助容量ＣｃｓＥの補助容量対向電極は電気的に独立であり、前記第１補助容量ＣｃｓＯの補助容量対向電極に供給する補助容量対向電圧ＶｃｓＯおよび前記第２補助容量ＣｃｓＥの補助容量対向電極に供給する補助容量対向電圧ＶｃｓＥは、振幅が同じで、位相が１８０°異なる波形を有し、前記第１副画素の液晶容量ＣｌｃＯに印加される電圧ＶｌｃＯおよび前記第２副画素の液晶容量ＣｌｃＥに印加される電圧ＶｌｃＥのそれぞれの実効値が異なる値となる」ことは、「その内、第一補助コンデンサのもう一方端は結合電極電圧を提供する結合信号線と電気結合し、第二補助コンデンサのもう一方端は所定電圧の配線に電気結合する故、第一サブピクセルの画素電圧と第二サブピクセルの画素電圧は異なるものとなり、且つ該結合電極電圧は交流電圧とされ」る点で一致する。
　
　以上のことから、本願発明と引用発明は、
「　ＶＡ型液晶表示装置のピクセル回路であり、第一サブピクセル及び第二サブピクセルを包含し、
　第一サブピクセルは、第一薄膜トランジスタ、第一液晶コンデンサ、及び第一補助コンデンサを含み、第一薄膜トランジスタのソース電極はデータ線と電気結合し、第一薄膜トランジスタのゲート電極は制御線と電気結合し、第一薄膜トランジスタのドレイン電極は第一液晶コンデンサの一方端及び第一補助コンデンサの一方端と電気結合し、
　第二サブピクセルは、第二薄膜トランジスタ、第二液晶コンデンサ、及び第二補助コンデンサを含み、第二薄膜トランジスタのソース電極はデータ線と電気結合し、第二薄膜トランジスタのゲート電極は制御線と電気結合し、第二薄膜トランジスタのドレイン電極は第二液晶コンデンサの一方端及び第二補助コンデンサの一方端と電気結合し、
　その内、第一補助コンデンサのもう一方端は結合電極電圧を提供する結合信号線と電気結合し、第二補助コンデンサのもう一方端は所定電圧の配線に電気結合する故、第一サブピクセルの画素電圧と第二サブピクセルの画素電圧は異なるものとなり、且つ該結合電極電圧は交流電圧とされる、ＶＡ型液晶表示装置のピクセル回路。」
の点で一致し、以下の相違点１、相違点２で相違する。
　
　相違点１：第二補助コンデンサのもう一方端に電気結合する「所定電圧の配線」が、本願発明では「直流電圧」を供給する「共同電圧(Vcom)の共同電圧線」であるのに対し、引用発明では、「第１補助容量対向電極に供給する補助容量対向電圧ＶｃｓＯ」と「振幅が同じで、位相が１８０°異なる波形を有」する交流電圧を供給する「補助容量配線２４Ｅ（または２４Ｏ）」である点。
　
　相違点２：結合信号線と第二補助コンデンサのもう一方端に電気結合する所定電圧の配線の配置が、本願発明では、相互に垂直であるのに対し、引用発明では、配置が特定されていない点。
　
５　判断
　以下、上記相違点１、２について検討する。
　
相違点１についての検討：
　本願発明と引用発明は、いずれも、「第一補助コンデンサのもう一方端」に供給する電位と「第二補助コンデンサのもう一方端」に供給する電位を異ならせることにより、第一サブピクセルの画素電圧と第二サブピクセルの画素電圧を異ならせて視野角依存性を改善するＶＡ型液晶表示装置のピクセル回路である。そして、一般に、液晶表示装置の各ピクセルには、共同電圧（引用発明では「対向電極１７」に供給する「電位（Ｖｃｏｍ）」が、本願発明の「共同電圧」に相当する。）が供給されているところ、第一サブピクセルの画素電圧と第二サブピクセルの画素電圧を異ならせるために、第一・第二補助コンデンサのもう一方端に供給する電位の一つとして共同電圧を用いること、すなわち、振幅が同じで、位相が１８０°異なる波形の交流電位に代えて、「第二補助コンデンサのもう一方端」に供給する電位を直流電圧の共同電圧とし、上記相違点１に係る本願発明の発明特定事項と為すことに格別の困難性はなく、当業者が容易に為し得たものと認められる。
　
相違点２についての検討：
　各ピクセル回路や配線を含む液晶表示装置のレイアウトは、集積度や開口率、製造の容易さ、配線抵抗や配線容量を含む電気的特性等を考慮して当業者が適宜設計し得る事項であるところ、各ピクセル回路に異なる電位を供給する２つの配線の配置方向を、相互に平行とすること、あるいは、相互に垂直とすることは、何れも周知の技術事項（例えば特開平６−１３８４４０号公報（以下「周知文献」という。）参照。特に、図４、図５、段落【００２２】の記載を参照。）である。してみると、引用発明において、上記周知の技術事項を採用し、各ピクセル回路に異なる電位を供給する補助容量配線２４Ｏと補助容量配線２４Ｅを相互に垂直に配置すること、すなわち、結合信号線と第二補助コンデンサのもう一方端に電気結合する「所定電圧の配線」を相互に垂直に配置して上記相違点２に係る本願発明の発明特定事項と為すことに困難性は無い。
　
　審判請求人は、平成２３年８月１０日付け意見書において、「多くの余分の寄生容量が発生することがなく、さらにＲＣ遅延を形成することがなく、ゆえに、本願発明の設計は信号伝送効率が引用刊行物の設計に較べて良好」である旨の作用効果（なお、審判請求人が主張するこの作用効果は、当初明細書等には記載されていない作用効果であることに注意されたい。）を主張する。しかしながら、上記周知文献の図５に記載された液晶表示装置は前記作用効果を奏している。また、液晶表示装置において、配線には寄生容量が伴うこと、寄生容量が信号遅延をもたらすであろうことは、何れも当業者に周知の技術事項であるから、審判請求人が主張する前記作用効果は、当業者が容易に予測しうる程度のものにすぎず、格別の作用効果とは言えない。
　してみると、本願発明が奏する作用効果は、引用発明と周知の技術事項に基づいて当業者が容易に予測しうる程度のものであって、格別の作用効果とは認められない。
　
　以上のとおり、本願発明は、引用発明と周知の技術事項に基いて当業者が容易に発明をすることができたものである
　
６　むすび
　したがって、本願発明は、引用発明と周知の技術事項に基いて当業者が容易に発明をすることができたものであるから、その余の請求項について検討するまでもなく、本願は拒絶すべきものである。
　よって、上記結論のとおり審決する。